(57)【要約】【課題】  収納機構の移動に連動して作用する回転式の緩衝装置により、押込み、位置決めされる際の衝撃を緩衝し、部品の破損や積載した用紙の乱れの発生が無く、引き出す際の操作性を低下させない給紙装置を提供する。【解決手段】  複数枚の用紙を収納可能な収納部材と、前記収納部材を印刷可能な位置に移動させる移動機構と、前記収納部材が印刷可能な位置に移動した後、該収納部材を保持するための保持機構を備えた電子写真装置の給紙装置において、前記保持機構は、前記収納部材の移動に連動して作用する回転式緩衝装置を設けた。【選択図】図１
2005206336.tif 000002
【特許請求の範囲】
【請求項１】
複数枚の用紙を収納可能な収納部材と、前記収納部材を印刷可能な位置に移動させる移動機構と、前記収納部材が印刷可能な位置に移動した後、該収納部材を保持するための保持機構を備えた電子写真装置の給紙装置において、前記保持機構は、前記収納部材の移動に連動して作用する回転式緩衝装置を有することを特徴とする給紙装置。
【請求項２】
前記収納部材が前記印刷位置から離れる際には、前記回転式の緩衝装置と前記収納部材の移動との連動が解除されることを特徴とする請求項１記載の給紙装置。
【発明の詳細な説明】
【技術分野】
【０００１】
本発明は、電子写真装置の給紙装置に関するものである。
【背景技術】
【０００２】
図６及び図７は、従来の電子写真装置において給紙装置、即ち一般にホッパと呼ばれる装置の構造と、印刷可能な位置にホッパを保持する保持機構、即ち一般にラッチと呼ばれる機構を示したものである。
【０００３】
図６及び図７において、１はホッパ、２は電子写真装置の本体、３はホッパ１を電子写真装置の本体２に移動させるためのスライド機構である。ホッパ１の背面には、回転可能なローラ４が取り付いたスイング部材５が設けられており、スプリング６にてホッパ１に固定された軸１０を中心に回転可能である。また、スイング部材５と対向して、電子写真装置の本体２にはフック７が設けられている。この構成にて、ホッパ１を引き出した状態で用紙８をホッパ１に積載し、ホッパ１を電子写真装置の本体２に収納する際にローラ４がフック７に沿ってスライドし、谷部９に落ち込み、印刷可能な位置にて保持される。
【０００４】
また、ホッパ押込み時の保持機構に緩衝機能を付加した例として、回転する部材を停止している部材に突き当て停止させ、回転部材の突き当て部を弾性変形可能としたものである（例えば、特許文献１参照）。
【０００５】
【特許文献１】特開２００３−２４７６２６号公報
【発明の開示】
【発明が解決しようとする課題】
【０００６】
前記した従来の給紙装置において、用紙を積載したホッパを収納する際、オペレータによっては勢い良く押し込む場合があり、ローラとフックの接触時に衝撃が加わり、部品の破損や積載した用紙が乱れる等の不具合が発生する場合があった。
【０００７】
本発明の目的は、上記問題を解決し、ローラとフックの接触時の衝撃を吸収し、且つ、ホッパを引き出す際の操作性を低下させない衝撃吸収機構を備えた給紙装置を提供することにある。
【課題を解決するための手段】
【０００８】
上記目的は、ローラと一体となったスイング部材に、ギアとダンパを取り付け、ホッパ押込み時にスイング部材が回転し、ギアがダンパと噛み合い、且つ、ホッパ引き出し時には噛み合いが外れる機構とすることにより達成される。
【発明の効果】
【０００９】
本発明の給紙装置によれば、ホッパ押込み時の衝撃が吸収され、部品の破損等の不具合を防止することが可能となる。また、ホッパを引き出す際には、衝撃を吸収する機構による抵抗力が働かないため、操作性を低下させることがない。
【発明を実施するための最良の形態】
【００１０】
ローラとフックの接触時の衝撃を吸収するという目的を、ホッパを引き出す際の操作性を低下させずに実現した。
【００１１】
以下、本発明の実施例を図１〜図５を参照して説明する。図１〜図５において、図６、図７と同一部分は同一符号で示す。
【００１２】
図１に示すように、ホッパ１は、スライド機構３を介し電子写真装置の本体２へ移動可能な構造になっている。ホッパ１には、ローラ４と一体となったスイング部材５が取り付けられ、電子写真装置の本体２には、対向してフック７が設けられている。
【００１３】
図２に示すように、スイング部材５に開けられた長穴１６にブラケット１７に固定された軸１０が通り、軸１０のスイング部材５に接触する箇所には、軸受１５が取り付けられており、軸１０を中心にスイング部材５が回転可能となっている。軸１０は、ギア１１と一体で、ブラケット１７に固定され、回転不能な構造で且つ、ギア１１は、スイング部材５に取り付けられたダンパ１２のギア１３と噛み合う構造となっている。
【００１４】
図２に示す電子写真装置の本体２からホッパ１が引き出された状態では、スプリング１８によりスイング部材５が引っ張られ、軸受１５がスイング部材５の長穴右端に突き当たった状態で保持されており、ギア１１とギア１３の噛み合いが外れている。
【００１５】
図３に示すように、ホッパ１を電子写真装置の本体２にオペレータが押込み、ローラ４とフック７が接触すると、押し込む力により、長穴１６に沿って軸受１５がスライドし、ギア１１とギア１３が噛み合う。
【００１６】
図４に示すように、さらにホッパ１を押し込むに従い、ローラ４がフック７に沿ってスライドするため、スイング部材５は、ギア１３とギア１１が噛み合った状態で、軸１０を中心に回転する。この回転により、ダンパ１２のギア１３が回転し、スイング部材５の回転に対して逆方向の抵抗力が働き、衝撃を吸収する。
【００１７】
そして、図５に示すように、フック７の山部１４を乗り越えると保持された状態となる。ホッパ１を引き出す際は、オペレータの引き出す力により、長穴１６に沿って軸受１５がスライドし、ギア１１とギア１３の噛み合いが外れるため、ダンパ１２による抵抗力が加わらない。よって、押込み時にのみダンパ１２が効き、引出し時には、ダンパ１２が効かないため、部品類の破損や積載した用紙の乱れを発生させることなく、且つ、引き出し時の操作性を低下させることがない。
【図面の簡単な説明】
【００１８】
【図１】本発明の実施例を示す側面図で、ホッパの開閉とラッチ機構との位置関係及び、動作関係を示す。
【図２】本発明の実施例において、ホッパ引き出し時のラッチ機構部の詳細を示す側面図である。
【図３】本発明の実施例において、ローラ衝突時のラッチ機構部の詳細を示す側面図である。
【図４】本発明の実施例において、ローラのスライド時のラッチ機構部の詳細を示す側面図である。
【図５】本発明の実施例において、ホッパが印刷可能位置にて保持された時のラッチ機構部の詳細を示す側面図である。
【図６】従来例を示す側面図で、ホッパの開閉とラッチ機構との位置関係及び、動作関係を示す。
【図７】従来例において、ホッパが印刷可能位置にて保持された時のラッチ機構部の詳細を示す側面図である。
【符号の説明】
【００１９】
１はホッパ、２は電子写真装置の本体、３はスライド機構、４はローラ、５はスイング部材、６はスプリング、７はフック、８は用紙、９は谷部、１０は軸、１１はギア、１２はダンパ、１３はダンパギア、１４は山部、１５は軸受、１６は長穴、１７はブラケット、１８はスプリングである。
【図１】
2005206336.tif 000003
【図２】
2005206336.tif 000004
【図３】
2005206336.tif 000005
【図４】
2005206336.tif 000006
【図５】
2005206336.tif 000007
【図６】
2005206336.tif 000008
【図７】
2005206336.tif 000009